(57)【要約】【課題】  ディスプレイ信号をミリ波伝送する。【解決手段】  ディスプレイ信号源からの表示信号をアップコンバートしてミリ波で伝送し、このミリ波信号をダウンコンバートしてフラットディスプレイに供給し、表示を行う。【選択図】        図１
2005010778.tif 000002
【特許請求の範囲】
【請求項１】
ディスプレイ信号源からの表示信号をアップコンバートしてミリ波で伝送し、このミリ波信号をダウンコンバートしてディスプレイに供給することを特徴とするディスプレイの駆動方法。
【請求項２】
ディスプレイ信号源からの表示信号をアップコンバートしてミリ波で伝送し、このミリ波信号をダウンコンバートしてディスプレイに供給することを特徴とするディスプレイの駆動装置。
【発明の詳細な説明】
【技術分野】
【０００１】
本発明は、薄型表示装置、壁掛け表示装置として利用されるフラットディスプレイの駆動方法および駆動装置に関し、特にディスプレイ信号源とフラットディスプレイの間のワイヤレス化を図り、フラットディスプレイの薄型化、軽量化、低コスト化を図るものである。
【背景技術】
【０００２】
薄型表示装置、壁掛け表示装置として利用されるフラットディスプレイとして、薄膜トランジスタ（ＴＦＴ）、強誘電性液晶（ＦＬＣＤ）、ＳＴＮを用いた液晶表示装置、プラズマディスプレイや液晶とプラズマディスプレイを融合化したＰＡＬＣ、エレクトロルミネッセンス（ＥＬ）、発光ダイオードディスプレイ（ＬＥＤ）等が開発され、年々大型化、高精細化している。フラットディスプレイにはその信号源としてパーソナルコンピュータ又はテレビ又はインターネット又はテレビ電話又はテレビ会議システム、その他が接続される。フラットディスプレイの回路負担、重量、コストを軽減するためディスプレイ信号源とフラットディスプレイとの間をワイヤレス化することが検討されている。
【０００３】
フラットディスプレイの精細度とクロック周波数および表示色数の関係は、表１の通りである。
【０００４】
【表１】
2005010778.tif 000003
【０００５】
表１より、パネル解像度がＶＧＡ（６４０×４８０）の場合、１８ｂｉｔ  Ｃｏｌｏｒのとき、０．６０Ｇｂｐｓ、２４ｂｉｔ  Ｃｏｌｏｒのとき、０．７５Ｇｂｐｓ必要である。またハイビジョン映像を表示するには、１９２０×１０８０の解像度では、４．４６Ｇｂｐｓ必要となる。
【０００６】
パーソナルコンピュータの画像データを液晶プロジェクタに赤外線にて伝送し、液晶プロジェクタに画像データを記憶する発明が、特開平９−２９４２７１号公報に開示されている。またディスクプレーヤと液晶ディスプレイを取り外し可能な構成にして、これら両者を有線または無線によって信号の授受を行うものが実開平６−７７０８６号公報に記載されている。しかし、これら公報には送信信号、受信信号の信号形式、送信機の構成、受信機の構成等詳細については説明がない。
【特許文献１】特開平９−２９４２７１号公報
【特許文献２】実開平６−７７０８６号公報
【発明の開示】
【発明が解決しようとする課題】
【０００７】
上記説明のようにパネル解像度がＶＧＡの場合で０．７５Ｇｂｐｓ、ハイビジョンの場合で４．４６Ｇｂｐｓの信号量であるが、赤外線の信号伝送量は高々１００ＭＢＰＳ程度である。したがって、赤外線を利用してフラットディスプレイをワイヤレス化するには限界がある。
【０００８】
数Ｇｂｐｓ又は１０数Ｇｂｐｓ程度の伝送が行える方式としてミリ波帯伝送がある。我々はこのミリ波帯伝送方式を利用して、ディスプレイ信号源とフラットディスプレイをワイヤレス結合する発明を創作した。
【０００９】
また本発明はフラットディスプレイに備える回路部分を少なくして、回路負担を少なく、パネルを軽量化するものである。さらにフラットディスプレイの交換を容易にして、フラットディスプレイのバージョンアップや他の種類のディスプレイの使用を可能にするものである。
【課題を解決するための手段】
【００１０】
本発明の請求項１に記載のディスプレイの駆動方法は、ディスプレイ信号源からの表示信号をアップコンバートしてミリ波で伝送し、このミリ波信号をダウンコンバートしてディスプレイに供給することを特徴とする。
【００１１】
本発明の請求項２に記載のディスプレイの駆動装置は、ディスプレイ信号源からの表示信号をアップコンバートしてミリ波で伝送し、このミリ波信号をダウンコンバートしてディスプレイに供給することを特徴とする。
【００１２】
請求項１および２の発明は、ディスプレイ信号をミリ波帯で送信、受信するからハイビジョン映像信号以上の超高速データ伝送も可能であり、ディスプレイ信号の帯域幅を十分にカバーし、送信ノイズ、変調ノイズを少なくできる。ディスプレイ信号源とディスプレイの間をミリ波帯電波によって無線結合するから、ディスプレイ信号源とディスプレイを自由に配置することができ、特にディスプレイがフラットディスプレイの場合、その特長である、薄型、軽量を有効に利用することができる。またミリ波帯電波は人体の対して安全であり、かつ指向性に優れているのでディスプレイ信号源とディスプレイの指向性を容易に合わせることができる。ミリ波帯電波は大気中の減衰が大きいが、家庭内や事務所内のように比較的短距離の場合は大気減衰が大きいことが他の通信回線への干渉の軽減、周波数の空間的再利用の点で有利になる。
【発明の効果】
【００１３】
本発明によれば、ディスプレイ信号をミリ波帯で送信、受信するからハイビジョン映像信号以上の超高速データ伝送も可能であり、ディスプレイ信号の帯域幅を十分にカバーし、送信ノイズ、変調ノイズを少なくでき、またディスプレイ信号源とフラットディスプレイの間をミリ波帯電波によって無線結合するから、ディスプレイ信号源とフラットディスプレイを自由に配置することができ、フラットディスプレイの特長である、薄型、軽量を有効に利用することができる。またミリ波帯電波は人体の対して安全であり、かつ指向性に優れているのでディスプレイ信号源とフラットディスプレイの指向性を容易に合わせることができる。ミリ波帯電波は大気中の減衰が大きいが、家庭内や事務所内のように比較的短距離の場合は大気減衰が大きいことが他の通信回線への干渉の軽減、周波数の空間的再利用の点で有利になる。
【００１４】
さらに本発明は、Ｘ方向駆動ラインとＹ方向駆動ラインの各交差点あるいは各交差点付近に表示素子を有するフラットディスプレイのＸ方向ドライバーとＹ方向ドライバーに、それぞれＸ方向信号とＹ方向信号を供給するため、表示信号をＸ方向信号とＹ方向信号に分離するから、本発明のディスプレイ駆動装置の構成を簡単にできる。
【００１５】
さらに本発明は、ディスプレイ信号源がパーソナルコンピュータ又はテレビ又はインターネット又はテレビ電話又はテレビ会議システムであるから、フラットディスプレイを多目的に利用することができる。
【００１６】
また本発明は、ミリ波送信機よりフラットディスプレイの表示信号を送信するから、ミリ波送信機の構成が簡単になるとともにミリ波受信機の構成も簡単にすることができる。
【００１７】
また本発明は、ディスプレイ信号源のアナログ／デジタル変換器を備えるから、表示信号の劣化がなく、フラットディスプレイの表示品位を高品質に保つことができる。
【００１８】
また本発明は、ＡＳＫ又はＰＳＫ変調するから表示信号を低ノイズ、小型、低消費電力でミリ波変調を行うことができる。
【００１９】
また本発明は、ミリ波を直接表示信号によってＡＳＫ、ＦＳＫ又はＰＳＫ変調するから、送信機の回路構成を簡略化することができる。
【００２０】
さらに本発明は、送信側で表示素子に適したＸ方向信号とＹ方向信号に予め分離してから送信するので、表示素子側では受信したＸ方向信号とＹ方向信号にて直接、Ｘ方向駆動ラインとＹ方向駆動ラインを駆動することができ、簡単なディスプレイ側の構成でディスプレイの駆動を行うことができる。また、２画面表示等を行う場合、送信側で全画面データを送信する必要が無く、表示したい部分のデータのみを送信すればよく、伝送帯域の有効利用を図ることができる。
【００２１】
また本発明は、Ｘ方向信号とＹ方向信号とを時分割多重をした後にＡＳＫ、ＦＳＫ又はＰＳＫ変調するから、変調器の回路規模を抑制することが可能である。
【００２２】
さらに本発明は、送信側でディスプレイ上のどの位置に、あるいはどの範囲に送信映像を表示するかの表示座標情報を送信でき、ディスプレイ側ではこの情報に応じた表示ができる。特に複数の映像信号を同時に送信する場合などに、第１の画面と第２の画面等の位置や範囲を送信側から制御し、表示が可能となる。
【００２３】
さらに本発明は、表示データの配列情報を重畳して送信できるので必要に応じて送信側からディスプレイに対し画面左右２分割駆動や画面上下２分割駆動やインターレース駆動を行わせることが可能となる。また、配列情報に「ただいま画面左右２分割モードで送信中」等のユーザに対するインフォメーション等を含ませれば、これを直接ディスプレイ上に表示させることもできる。
【００２４】
さらに本発明は、ディスプレイ側からディスプレイの駆動方式等の使用可能な構成や制約条件を送信側に伝送できるので、ディスプレイの性能に応じて適切な駆動方法を自動的に選択して送信することができる。
【発明を実施するための最良の形態】
【００２５】
（実施例）
図１は、本発明のディスプレイの駆動装置の概略構成を示す。
【００２６】
パーソナルコンピュータ、テレビ、インターネット、テレビ電話、テレビ会議システム、ビデオカメラ、その他のディスプレイ信号源１はフラットディスプレイの表示信号を出力する。ディスプレイ信号源が、例えば、ＣＰＵ、メモリ、ハードディスク、表示制御回路やその他周辺装置が接続されるパーソナルコンピュータである場合、表示データ、クロック信号および同期信号が出力される。画素と表示データとサンプリングパルスの関係を図２に示す。表示データ（Ｄａｔａ）はパーソナルコンピュータから赤色成分を規定する赤色データＲ、緑色成分規定する緑色データＧおよび青色成分を規定する青色データＢよりなる。２６万色表示の場合、各色データは６ビットで構成される。クロック信号（ＤＣＫ）は１画素を１サイクルとするパルス信号である。サンプリングパルス（Ｔｓｍｐ）は、画素（ピクセル）ｊ、ｊ＋１、ｊ＋２・・・にそれぞれ対応する回路に与えられるサンプリングパルスで、このパルスの立ち上がりで表示データをサンプリングする。上記表示データ（ＤａＴａ）はパラレル信号からシリアル信号に変換される。クロック信号（ＤＣＫ）およびサンプリングパルス（Ｔｓｍｐ）も表示データとともにシリアル信号に変換されるのが望ましい。
【００２７】
上記のようにシリアル信号に変換されたシリアル表示信号は中間周波（ＩＦ）帯ＡＳＫ／ＰＳＫ／ＦＳＫ変調器２に供給されてＡＳＫ、ＰＳＫ又はＦＳＫ変調される。このＡＳＫ、ＰＳＫ又はＦＳＫ変調されたＩＦ信号はアップコンバータ内蔵ＮＲＤガイド送信機６に供給される。
【００２８】
アップコンバータ内蔵ＮＲＤガイド送信機６では、発振周波数が５９ＧＨｚ帯に設定されているガンダイオード発振器８からの局部発振（ＬＯ）波がＮＲＤガイド用サーキュレータ９、１０により一定方向に伝送されていき、ショットキーバリアダイオードよりなるアップコンバータ１１へ入力される。アップコンバータ１１は、ガンダイオード発振器８からのＬＯ波と前記ＩＦ信号を混合して、６０ＧＨｚ帯信号にアップコンバートする。周波数変換された信号は、帯域通過フィルタ１２を通過して和信号である６０ＧＨｚ帯信号だけが無線周波数（ＲＦ）波として送信アンテナ１３に伝送される。差信号である５８ＧＨｚ帯信号は帯域通過フィルタ１２を通過できずに反射され、ＮＲＤガイド用サーキュレータ９、１０により無反射終端１４に導かれ、そこで吸収される。
【００２９】
次にシリアル表示信号をミリ波帯ＡＳＫ、ＦＳＫまたはＰＳＫ変調器に入力し、直接ミリ波をＡＳＫ、ＦＳＫまたはＰＳＫ変調する場合のディスプレイ駆動装置の概略構成を図３に示す。図３に示すディスプレイ駆動装置は、図１のディスプレイ駆動装置と比較して、アップコンバータ内蔵ＮＲＤガイド受信機６に代えて、デジタル変調器内蔵ＮＲＤガイド６′を備える。ここで、デジタル変調器内蔵ＮＲＤガイド６′では、発振周波数が６０．５ＧＨｚ帯に設定されているガンダイオード発振器８からのＲＦ波がＮＲＤ用サーキュレータ９，１０により一定方向に伝送されていき、ミリ波帯ＡＳＫ／ＰＳＫ／ＦＳＫ変調器１１′に入力される。ミリ波帯ＡＳＫ／ＰＳＫ／ＦＳＫ変調器１１′で直接デジタル変調された信号は、送信アンテナ１３に出力される。
【００３０】
さて、アップコンバータ内蔵ＮＲＤガイド受信機６または、デジタル変調器内蔵ＮＲＤガイド６′の送信アンテナ１３より送信された６０ＧＨｚ帯ＲＦ波は、ＮＲＤガイド受信機１５の受信アンテナ１６で受信され、ＮＲＤガイド方向性結合器１７を介してバランスミキサ１８へと入力する。また、ガンダイオード発振器１９からの５９ＧＨｚ帯ＬＯ波がバランスミキサ１８に加えられることによりダウンコンバートを行い、ＩＦ信号に変換して出力する。このＩＦ信号はＡＳＫ、ＦＳＫ又はＰＳＫ復調器２０で復調され、かつＸ方向表示信号およびＹ方向表示信号に分離される。
【００３１】
そして、薄膜トランジスタ（ＴＦＴ）、ＳＴＮや強誘電性液晶（ＦＬＣＤ）を用いた液晶表示装置、プラズマディスプレイパネル、液晶とプラズマディスプレイを融合化したＰＡＬＣ、エレクトロルミネッセンスパネル（ＥＬ）、発光ダイオードディスプレイ（ＬＥＤ）等のフラットディスプレイ２１のＸ方向ドライバー２２と、Ｙ方向ドライバー２３にＸ方向表示信号およびＹ方向表示信号がそれぞれ印加され、フラットディスプレイ２１で表示を行う。
【００３２】
本発明のディスプレイの駆動装置の概略構成は以上のように構成される。
【００３３】
図４は、本発明のフラットディスプレイ駆動方法１１００を示すフローチャートである。
【００３４】
図４を説明して、フラットディスプレイ駆動方法１１００は、ディスプレイ信号源からの表示信号をアップコンバートしてミリ波信号に変換して送信するステップ１１１０と、送信されたミリ波信号を受信してダウンコンバートしてディスプレイに供給するステップ１１１５とを備える。
【００３５】
ステップ１１１５は、ミリ波信号を受信してダウンコンバータして元の表示信号を得るステップ１１２０と、得られた表示信号をディスプレイに供給するステップ１１３０とを含む。
【００３６】
ステップ１１１０は、図１で説明したフラットディスプレイ駆動装置１０００中のＮＲＤガイド送信機６に相当する。同様に、ステップ１１２０は、ＮＲＤ受信機１５に相当し、ステップ１１３０は、Ｘ方向ドライバー２２およびＹ方向ドライバー２３に相当する。
【００３７】
このように、ミリ波帯信号で信号伝送を行なうことにより、送信機および受信機の構成を簡単にすることが可能となる。
【００３８】
また、ステップ１１１０において、ディスプレイ信号源からの表示信号をＡ／Ｄ変換し、得られたディジタル信号をアップコンバートしてミリ波信号に変換しすれば、表示データの信号伝送に伴う劣化をより有効に防止して、フラットディスプレイの画質を高品質化することが可能となる。
【００３９】
さらに、ステップ１１１０におけるアップコンバートを、ＰＳＫ、ＦＳＫもしくはＡＳＫ変調によって行ない、ステップ１１２０におけるダウンコンバートを、ＰＳＫ、ＦＳＫもしくはＡＳＫ復調で行なうことによっても、表示信号の劣化を防止し、フラットディスプレイの表示品位を高品質に保つことができる。
【００４０】
また、ステップ１１３０において、表示信号をフラットディスプレイのＸ方向表示信号とＹ方向表示信号とに分離した後にフラットディスプレイに供給すれば、フラットディスプレイの駆動装置の構成を簡単にすることができる。
【００４１】
本発明のディスプレイの駆動装置の各構成部分は次のように構成される。
【００４２】
上記アップコンバータ内蔵ＮＲＤガイド送信機６の具体的構造は、図９（ａ）に示す平面図および図９（ｂ）に示す立体図のように構成され、図１と同一部分には同一符号を付して示す。
【００４３】
本発明は３５ＧＨｚ帯、６０ＧＨｚ帯等のミリ波帯信号が使用されるが、３５ＧＨｚ帯、６０ＧＨｚ帯等のミリ波帯信号の伝送線路として遮断平行平板導波管内に方形誘電体ストリップを挿入して構成されるＮＲＤガイドが有利であることが知られている。ＮＲＤガイドは、図１０に示すように上下に所定間隔をおいて平行配置されたアルミニウム、銅、真鍮などの良導電体・非磁性体材料よりなる厚さ４．０ｍｍ程度の上導体板６１と下導体板６２との間に高さａ、幅ｂの角棒状の誘電体ストリップ６３を配置して構成される。誘電体ストリップ６３として、ミリ波帯のような高周波で低損失な比誘電率が３．０以下、例えば２．０４のテフロン（登録商標）、２．１のポリエチレン、２．５６のポリスチレン等の誘電体が使用され、信号周波数の自由空間波長をλ0とすると、誘電体ストリップ線路６３の高さａは、ａ＝０．４５λ0の近傍、幅ｂは、比誘電率をεrとすると、
【００４４】
【数１】
2005010778.tif 000004
【００４５】
に設定される。６０ＧＨｚ帯では、誘電体ストリップとしてテフロン（登録商標）を使用した場合、高さａ＝２．２５ｍｍ、幅ｂ＝２．５ｍｍに設定され、５５ＧＨｚから６５．５ＧＨｚで単一モード動作帯域を得ている。
【００４６】
本発明のＮＲＤガイド送信機は上記ＮＲＤガイドを利用して構成される。まずガンダイオード２８はＨ形断面形状を有し、λ／４ステップ低域フィルタを施した真鍮製の金属片２７の側面に円筒状磁器パッケージの中に封入されてマウントされ、上導体板６１と下導体板６２の間に横向きに装荷される。これに上記金属片２７の上に貼り付けた厚み０．１３ｍｍのテフロン（登録商標）基板に、エッチングにより形成したλ／４チョークパターンからなるマイクロストリップ低域フィルタ線路を介してバイアス電圧を印加して、ガンダイオード発振器８から６０ＧＨｚ帯発振信号を得る。この発振信号はテフロン（登録商標）基板に金属ストリップを形成した金属ストリップ共振器２９を経てＮＲＤガイド３１に導かれる。金属ストリップ共振器２９は金属ストリップの幅ｃ、長さｄ、テフロン（登録商標）基板の厚みｅによって発振周波数を決定することができ、テフロン（登録商標）基板の厚みｅを０．２６５ｍｍ、金属ストリップの幅ｃを１．４ｍｍとし、長さｄを１．５ｍｍから２．５ｍｍに変化したとき、５５ＧＨｚから６３ＧＨｚに可変することができ、６０ＧＨｚ帯ＮＲＤガイドの帯域をほぼカバーし、発振出力１３０ｍＷ以上が得られる。ここで、ＮＲＤガイド３１が金属ストリップ共振器２９に接する先端部に結合部分で生じる不要モードを抑えるためモードサプレッサ３１ａを挿入するのが望ましい。金属ストリップ共振器２９は金属ストリップの長さを変えて目的の周波数５９ＧＨｚ帯に調整される。この実施例では５８．３６ＧＨｚ又は５９．１５ＧＨｚに調整された。
【００４７】
前記ＮＲＤガイド３１の近くに周波数安定化のための高Ｑを有するセラミック共振器３２が側結合するように配置され、セラミック共振器３２は上下導体板間隔の方向を共振器長として動作することにより周波数安定化を図る。セラミック共振器３２は高Ｑのセラミックディスク３２ａを真中にして上下をテフロン（登録商標）ディスク３２ｂ、３２ｃで挟んで構成され、セラミックディスク３２ａが上下導体板の中心にくるようにして放射がなくなるようにしてある。セラミックディスク３２ａは厚さｔを薄くすることで共振器長を短くして共振周波数を高くでき、厚さを０．４７ｍｍにすると、共振周波数が５９ＧＨｚになった。このセラミック共振器３２はＮＲＤガイド３１からの距離ｇを１．３５ｍｍに設定し、定在波比を２とした。
【００４８】
ＮＲＤガイド３１に入力された発振信号は、ＮＲＤガイド用サーキュレータ９、１０によりアップコンバータ１１の方向に導かれ入力する。ＮＲＤガイド用サーキュレータ９と１０の間、ＮＲＤガイド用サーキュレータ１０とアップコンバータ１１の間にそれぞれＮＲＤガイド３３、３４が挿入され、各間を接続する。発振信号出力を１３ｍＷとするとき、アップコンバータ１１に１１ｄＢｍが入力される。なお、このアップコンバータには、ショットキバリヤダイオードが用いられている。
【００４９】
アップコンバータ１１には端子３０から中間周波ＡＳＫ／ＰＳＫ／ＦＳＫ変調器２でＡＳＫ変調されたＩＦ信号が入力されており、ここで周波数変換される。周波数変換された和信号と差信号は、ＮＲＤガイド用サーキュレータ１０およびＮＲＤガイド３５を通して帯域通過フィルタ１２に向かう。帯域通過フィルタ１２は、中心周波数６０．６２５ＧＨｚ、帯域幅２ＧＨｚ、０．５ｄＢリップルの３段チェビシェフフィルタで構成され、和信号のみを通過させ、送信アンテナ１３に伝送され、送信アンテナ１３よりミリ波電波が送信される。アップコンバータ１１の和信号および差信号の出力を０ｄＢｍとするとき、帯域通過フィルタ１２の出力における和信号出力は０ｄＢｍである。帯域通過フィルタ１２を通過できなかった差信号は反射され、ＮＲＤガイド用サーキュレータ９、１０によりＮＲＤガイド３６を介して無反射終端１４に導かれ、吸収される。
【００５０】
ＮＲＤガイド受信機１５の具体的構造は、図１１（ａ）の平面図、図１１（ｂ）の立体図に示すように構成され、図１と同じ部分には同一符号を付して示す。受信アンテナ１６で受信された６０ＧＨｚ帯電波はＮＲＤガイド４１、４５が湾曲して構成される３ｄＢのＮＲＤガイド方向性結合器１７を通して２つに分けられる。湾曲の曲率半径と角度はＮＲＤガイド４１がｒ＝１０ｍｍ、θ＝１１０度、ＮＲＤガイド４５がｒ＝４３ｍｍである。ＮＲＤガイド４５は直線で構成することも可能である。６０ＧＨｚ帯電波がＮＲＤガイド方向性結合器１７により２つに分けられた後、バランスミキサ１８ａ、１８ｂに導入される。バランスミキサ１８ａ、１８ｂは２つのショットキーバリアダイオード１８ｃ、１８ｄで検波する構造であり、検波感度を高めている。ショットキーバリアダイオード１８ｃ、１８ｄのマウントの前面にテフロン（登録商標）チップ１８ｅ、１８ｆを取り付け、ショットキーバリアダイオード１８ｃ、１８ｄが壊れないよう保護している。またショットキーバリアダイオード１８ｃ、１８ｄのマウントの裏面には高誘電率薄膜を取り付け、抵抗が小さいショットキーバリアダイオード１８ｃ、１８ｄと、インピーダンスの高いＮＲＤガイド４１、４５との整合を取っている。高誘電率薄膜の厚さはλ／４である。さらに高誘電率薄膜の後にテフロン（登録商標）チップ１８ｇ、１８ｈを取り付けＮＲＤガイドとの整合をより高めている。
【００５１】
ガンダイオード発振器１９からの５９ＧＨｚ発振信号がＮＲＤガイド４５によりＮＲＤガイド方向性結合器１７を通してバランスミキサ１８に加えられ、そこでダウンコンバートされて、元のＩＦ信号を端子４２に得る。
【００５２】
このＮＲＤガイド受信機１５においても、ガンダイオード発振器１９は、ＮＲＤガイド送信機６のガンダイオード発振器８と同様に、金属片４３にガンダイオードがマウントされ、ガンダイオード発振器１９からの発振信号は金属ストリップ共振器４４を経てＮＲＤガイド４５に導かれる。ＮＲＤガイドの先端部には金属ストリップ共振器４４との結合部分で生じる不要モードを抑えるためモードサプレッサ４６を挿入するのがよい。前記ＮＲＤガイド４５の近くにＮＲＤガイド送信機６におけるセラミック共振器３２と同様に、周波数安定化のためのセラミック共振器４７が側結合するように配置され、セラミック共振器４７は上下導体板間隔の方向を共振器長として動作することにより周波数安定化を図る。セラミック共振器４７は高Ｑのセラミックディスクを真中にして上下をテフロン（登録商標）ディスクで挟んで構成され、セラミックディスクが上下導体板の真中にくるようにして放射がなくなるようにしてある。セラミックディスクは厚さｔを０．４７ｍｍにして、共振周波数を５９ＧＨｚにした。このセラミック共振器４７はＮＲＤガイド４５からの距離を１．３５ｍｍに設定し、定在波比を２とした。
【００５３】
ＮＲＤガイド送信機６に備えられるセラミック共振器３２およびＮＲＤガイド受信機１５に備えられるセラミック共振器４７は、セラミックディスクの代替としてアルミナ等を使用することができ、またテフロン（登録商標）ディスクの代替としてポリエチレン、ポリスチレン、ボロンナイトライド等を使用することができる。形状は円形以外に楕円形、三角形、方形にすることが可能であるが、円形が最も製作しやすい。さらに、セラミック共振器はセラミックディスクが上下導体板の真中になるように上側又は下側の一方をテフロン（登録商標）ディスクで支持する構造とし、他方を空間とする構成でもよい。この場合、セラミックディスクは誘電率が無限大に近いほうがよい。
【００５４】
上記ＮＲＤガイド送信機６のガンダイオード発振器８およびＮＲＤガイド受信機１５のガンダイオード発振器１９は、以上に説明したように同様の構造であって、ＮＲＤガイドの近くに周波数安定化のためセラミック共振器が備えられる。ここでは、上記ＮＲＤガイド送信機６のガンダイオード発振器８について説明するが、ＮＲＤガイド受信機１５のガンダイオード発振器１９にも適用されるものである。図１２はＮＲＤガイド送信機６のガンダイオード発振器８、ＮＲＤガイド３１およびセラミック共振器３２付近の立体図を示し、図１３は図１２のＡ−Ａ’線断面図を示す。ガンダイオード発振器８は、発振周波数を数ＫＨｚの精度で可変、制御が可能な自己注入同期ＮＲＤガン発振器で構成される。
【００５５】
セラミック共振器３２は、前記説明の通り高Ｑを有する比較的硬い誘電体であるセラミックディスク３２ａを真中にして上下をセラミックよりは誘電率が低く柔らかい誘電体であるテフロン（登録商標）ディスク３２ｂ、３２ｃで挟むようにして、セラミックディスク３２ａが上下導体板の中心に位置するよう構成される。セラミック共振器３２は円形に形成され、その周囲をリング状の誘電率が低い誘電体よりなるテフロン（登録商標）チューブ３２ｄで被覆される。テフロン（登録商標）チューブ３２ｄはセラミック共振器３２の形くずれを防止すると同時に、ＮＲＤガイド送信機、ＮＲＤガイド受信機内部に結露等による湿度の影響を防止する。セラミック共振器３２の共振周波数は、その厚さｔを含め上下導体板間隔の方向を共振器長とする上下導体板の間隔で決定され、この間隔が電気的に半波長の整数倍になる周波数で共振する。このセラミック共振器３２はＴＥ２０δで共振するので、セラミックディスク３２ａを薄くして共振周波数を高くすることができる。セラミック共振器３２の全体の高さを上下導体板の間隔２．２５ｍｍに調整しながら、セラミックディスク３２ａを薄く、テフロン（登録商標）ディスク３２ｂ、３２ｃを厚くして共振周波数を調整する。セラミックディスク３２ａの厚さを０．４７ｍｍにして５９ＧＨｚ帯の共振周波数を得る。
【００５６】
セラミック共振器３２は、ＮＲＤガイド３１とセラミック共振器３２間隔ｇをその定在波比が２になる位置に決める。このときｇ＝１．３５ｍｍであった。また、図１４（ａ）に示される、ＮＲＤガイド３１のモードサプレサ端面からセラミック共振器３２の中心までの距離ｚをセラミック共振器３２がロッキングする位置に設定した。ロッキング位置は、図１４（ｂ）に示すように６．０ｍｍと６．５ｍｍであった。ロッキング時、スペクトラムアナライザの周波数軸（ＳＰＡＮ）を５０ｋＨｚにしても発振周波数の変動は観測されず、波形もきれいであった。なお、その際の位相雑音は、１ＭＨｚオフセットで−１１０ｄＢｃ／Ｈｚであった。
【００５７】
セラミック共振器３２の近傍に上導体板３７、下導体板３８を貫通するネジ３９を設ける。ネジは、共振電磁界が無視できるほどに小さくなる位置に設ける。セラミック共振器の半径方向の電磁界分布は、半径方向の座標をｒ［ｍ］、電磁界理論より解析される横方向減衰定数をｐ［Ｎｐ／ｍ］として、ｅｘｐ（−ｐ・ｒ）の変化で減衰するから、一般的にはセラミック共振器の半径方向の電磁界の減衰量が、８．６８６ｐｒ≧３０ｄＢとなる距離ｒに設定する。この実施例ではＮＲＤガイド３１から垂直方向でセラミック共振器３２を通る線上にネジ３９が配置される。下導体板３８の外側にナットを設けて締め付けを強くするのが望ましい。ネジ３９をドライバー等で回転させると、セラミック共振器３２の近傍の上導体板３７と下導体板３８の間隔が変化し、発振周波数を数ＫＨｚの精度で制御することができる。即ち上下導体板間隔を変化させると、セラミック共振器３２の共振器長が変化するが、セラミックディスク３２ａの厚みに対する周波数変化は、比誘電率が高いため大きく変化する。一方テフロン（登録商標）ディスク３２ｂ、３２ｃは、比誘電率が低く、かつセラミックディスク３２ａ内部では共振電磁界が指数関数的に減衰しているので、その厚さが変化しても、その共振器周波数変化は小さい。さらにセラミックディスク３２ａは比較的硬く、テフロン（登録商標）ディスク３２ｂ、３２ｃは比較的柔らかいため、テフロン（登録商標）ディスク３２ｂ、３２ｃの方が大きく厚みを変化し、セラミックディスク３２ａの方はほとんど変化しない。したがって、モニターを見ながらネジを回転させて発振周波数を数ＫＨｚの精度で所望の周波数に合わせ込むことができる。調整後はネジの回転止めをして不要に周波数が変化しないようにする。この結果、ＮＲＤガイド送信機６とＮＲＤガイド受信機１５のＩＦ周波数差を数ＫＨｚにすることができ、信号を確実に再生することができる。
【００５８】
ネジの形状は種々変形が可能で、要するに上下導体板間隔を調整できる構造であればよく、レバー、歯車その他種々の構造を使用することができる。上下導体板間隔の調整機構はセラミック共振器３２の片側だけでなく、両側に設けてセラミック共振器の厚さを均等に変化させる構造が望ましい。
【００５９】
次に、図３で述べたデジタル変調器内蔵ＮＲＤガイド６′について説明する。シリアル表示ＡＳＫ、ＰＳＫ又はＦＳＫ変調されるが、ここではＡＳＫ変調について説明する。
【００６０】
デジタル変調器内蔵ＮＲＤガイド６′の具体的構造は、図１に示したアップコンバータ内蔵ＮＲＤガイド受信機６において帯域通過フィルタ１２を除去し、かつセラミック共振器３２で自己注入されたＮＲＤガイドガン発振器８の発振周波数を６０．５ＧＨｚに設定する。また、アップコンバータを構成するショットキバリアダイオードのＩＦ端子を無入力とし、バイアス電圧印加端子にシリアル表示信号を入力することにより、この部分がミリ波変調器１１′として動作する。したがって、この部分１１′で直接ＡＳＫ、ＰＳＫ又はＦＳＫ変調されたミリ波は、サーキュレータ１０を介して送信アンテナ１３へと導かれる。また、受信は上記ＮＲＤガイド受信機１５により、既に説明したのと同様に行なわれる。
【００６１】
このように、回路を大幅に変更することなく、ショットキバリアダイオードのＩＦ信号端子、あるいはバイアス電圧印加端子のいずれかにシリアル表示信号を入力するだけで、符号１１もしくは１１′に相当する部分は、アップコンバータもしくはミリ波ＡＳＫ変調器として動作する。これは、本ＮＲＤガイド送信機６、６′が多機能性の面で特徴的であることを示している。
【００６２】
ところでショットキバリダイオードの代わりに、図５に示すようにサーキュレータ８１の入力端ポート８２と出力端ポート８３の間に変調ポート８４を配置し、変調ポート８４にＦＥＴ（電界効果型トランジスタ）８５のドレイン・ソース端子を接続してもＡＳＫ変調器が構成できる。ソースとアース８６間に線路の特性インピーダンスに等しい抵抗８７を接続し、ゲートにはＲＦチョーク８８を介して端子８９に接続し、端子８９より高速データ信号を印加する。ドレインと電源端子間にはノイズ除去用のチョーク９０を挿入する。
【００６３】
この構成のＡＳＫ変調器２において、入力端ポート８２にミリ波、端子８９に高速データ信号を印加すると、ＦＥＴ８５としてＧａＡｓＦＥＴを用いた場合、高速データ信号が”Ｈｉｇｈ”レベル（０Ｖ）ではＦＥＴ８５のドレイン・ソース間が高抵抗となり、ＦＥＴ８５に入力した伝送波は反射を受けて出力端ポート８３に出力される。一方、高速データ信号が”Ｌｏｗ”レベル（−数Ｖ）ではドレイン・ソース間は低抵抗となり、ソース・アース間に接続した抵抗８７に整合がとれて、出力端ポート８３に伝送波は現れない。以上のような動作に基づいてＡＳＫ変調器が構成される。
【００６４】
したがって、入力端ポート８２にミリ波連続信号を印加し、端子８９に前記シリアル表示信号を印加すると、ミリ波連続信号が表示信号でＡＳＫ変調されて、出力端ポート８３に変調されたミリ波が出力される。
【００６５】
図６は図５に示した回路をマイクロストリップに応用した例を示し、図５と同等部分には添え字ａを付して示す。なお、９１は直流阻止用コンデンサ、９２は整合回路を示す。図６の回路でもＡＳＫ変調は図５の回路と同様に行われる。
【００６６】
また図７はＮＲＤガイドに応用した例を示し、図５と同等部分には添え字ｂを付して示す。
【００６７】
図５の回路において、サーキュレータ８１の代わりに、図８に示すように３ｄＢ方向性結合器９３を用いて構成することが可能で、このような回路構成はＡＳＫ変調器をマイクロストリップなどのプリント線路で構成する場合に適した構造である。
【００６８】
ＮＲＤガイド受信機１５の端子４２に得られたＩＦ信号はＡＳＫ復調器２０で復調され、元のシリアル表示信号を得る。シリアル表示信号は前記の通り表示データ、クロック信号、同期信号よりなり、パラレル信号に変換されて図１５に示す液晶表示装置１００で表示される。
【００６９】
液晶表示装置１００は図１５に示すように、表示部となる表示ユニットとしてのＴＦＴ液晶パネル１０１と、駆動回路１０２とからなり、駆動回路１０２はデータドライバー１０３、ゲートドライバー１０４、電圧信号供給回路１０５、対向電極駆動回路１０６およびコントロール回路１０７を備える。データドライバー１０３はアップダウンカウンタおよびデコーダ回路１１０、デジタルデータメモり１１１、データデコーダ１１２、バッファ回路１１３、電圧レベル選択回路１１４を備え、データドライバー１０３はシリアルデータをパラレルに変換しＴＦＴ液晶パネル１０１の信号線１１５に信号電圧を供給して、ＴＦＴ１１６を介して画素１１７を駆動する。
【００７０】
データドライバー１０３のより具体的な回路構成を図１６に示し、シフトレジスタＳＲ、サンプリングデータ記憶手段Ｍｓｍｐ、出力保持手段ＭＨ、出力回路ＯＰＣよりなる。データドライバー１０３はデータサンプリングスタートパルスＤＳＰ、クロック信号ＤＣＫ、出力パルスＯＰの３つの信号によってコントロールされる。データサンプリングスタートパルスＤＳＰ、クロック信号ＤＣＫから、シフトレジスタＳＲから出力されるサンプリングパルスＴｓｍｐが作られる。なお図中、Ｒｏｕｔ（１）、Ｇｏｕｔ（１）、Ｂｏｕｔ（１）は１番目の絵素に対応するデータであり、Ｒｏｕｔ（２）、Ｇｏｕｔ（２）、Ｂｏｕｔ（２）は２番目の絵素に対応するデータである。
【００７１】
ＶＧＡ仕様（ドット構成：６４０×４８０×ＲＧＢ）の場合、横方向に６４０個の絵素があり、Ｒｏｕｔ（１）、Ｇｏｕｔ（１）、Ｂｏｕｔ（１）〜Ｒｏｕｔ（６４０）、Ｇｏｕｔ（６４０）、Ｂｏｕｔ（６４０）の表示データがシリアルでＴＦＴ液晶パネル１０１に入力される。
【００７２】
図１７は６ビット×３色の計１８本の信号線を用いて２値のデジタルデータの伝送を示し、図１７において、Ｄａｔａは表示データを示し、赤、青、緑の各色データＲ、Ｇ、Ｂを一括して表現している。またＤ１は水平方向１番目の表示データ、Ｄ６４０は水平方向６４０番目の表示データ、ＤＨ１は垂直方向１番目の表示データ、ＤＨ４８０は垂直方向４８０番目の表示データが出力されている期間を示す。
【００７３】
図１７において、有効データ期間内のデータをクロック信号ＤＣＫに基づいてサンプリングし、表示部１００に多色表示できるようにしている。そして、図１８に示すように水平方向に６４０画素（Ｒ、Ｇ、Ｂ一対で１画素）、垂直方向に４８０画素の合計３０７２００個の画素を表示する。
【００７４】
図１９は、本発明のディスプレイの駆動装置の別の構成例を示している。
【００７５】
ここでは、図１９（ａ）に示すディスプレイ駆動信号送信回路１２９は、ディスプレイの信号源１、Ｘ、Ｙ方向信号分離部２４、パラレル−シリアル変換部３１、パラレル−シリアル変換部３２、ＡＳＫ／ＰＳＫ／ＦＳＫ変調器２、ＡＳＫ／ＰＳＫ／ＦＳＫ変調器１２５、周波数配列器２６、および送信アンテナ１３と、ガンダイオード発振器８、ＮＲＤガイド用サーキュレータ９、１０、アップコンバータ１１、帯域フィルタ１２、および無反射終端１４から成るＮＲＤガイド送信機６とによって構成されている。
【００７６】
また、図１９（ｂ）に示すディスプレイ駆動回路１３０は、ＮＲＤガイド方向性結合器１７、バランスミキサ１８、ガンダイオード発信器１９から成るＮＲＤガイド受信機１５と、受信アンテナ１６、フィルタ１３５、フィルタ１３６、ＡＳＫ／ＰＳＫ／ＦＳＫ復調器２０、ＡＳＫ／ＰＳＫ／ＦＳＫ復調器１２０、シリアル−パラレル変換部１３３、シリアル−パラレル変換部１３４、フラットディスプレイ２１、Ｘ方向ドライバー２２、Ｙ方向ドライバ−２３とから構成されている。
【００７７】
図１に基づいて説明した実施例とは、以下の点が異なっている。
【００７８】
図１に基づいて説明した実施例では、ディスプレイの信号源１の信号は図２に示したように赤色成分を規定する赤色データＲ、緑色成分規定する緑色データＧおよび青色成分を規定する青色データＢから成る表示データ、クロック信号および同期信号である。上述したように、これらの信号は図１のＮＲＤガイド受信機１５とＡＳＫ／ＰＳＫ／ＦＳＫ復調器２０で受信、復調された後、図１５のデータドライバー１０３によってパラレル信号に変換されＴＦＴ液晶パネル１０１を駆動している。
【００７９】
これに対し、図１９のディスプレイ駆動信号送信回路１２９では、ディスプレイの信号源１における赤色成分を規定する赤色データＲ、緑色成分規定する緑色データＧおよび青色成分を規定する青色データＢから成る表示データ、クロック信号および同期信号を、Ｘ、Ｙ方向信号分離部２４によってフラットディスプレイ２１を直接駆動可能なＸ方向信号とＹ方向信号に分離する。すなわち、これは、図１５におけるデータドライバー１０３とゲートドライバー１０４の出力信号に分離しているもので、Ｘ、Ｙ方向信号分離部２４自身の構成をデータドライバー１０３とゲートドライバー１０４の構成と同様なもので行なってもよい。
【００８０】
Ｘ、Ｙ方向信号分離部２４によって分離されたＸ方向信号とＹ方向信号は、それぞれ、パラレル−シリアル変換部１３２、パラレル−シリアル変換部１３１によってシリアル信号に変換され、ＡＳＫ／ＰＳＫ／ＦＳＫ変調器１２５、ＡＳＫ／ＰＳＫ／ＦＳＫ変調器２によってＡＳＫ、ＰＳＫ又はＦＳＫ変調される。変調の方法はＡＳＫ、ＰＳＫ又はＦＳＫに限るものではなく、他の適切な変調方式を用いてもよい事はいうまでもない。
【００８１】
ここで、Ｙ方向信号は周波数配列器２６によってベースバンドから周波数をシフトさせて周波数軸上での配列を変更して、Ｘ方向の変調された信号と混合している。このときの周波数の配列の一例を図２０に示す。
【００８２】
図２０の（ａ）では、Ｘ方向信号とＹ方向信号が同じ程度の帯域を持っているように記載しているが、通常は、Ｘ方向をデータドライバー側、Ｙ方向をゲートドライバー側とすると、データ量の少ないＹ方向信号に対しデータ量を多く含んでいるＸ方向信号の方が帯域が広く必要である。ここでは、特に帯域の広さが限定されるものではなく、周波数軸上での配列の一例を示すものである。
【００８３】
図２０の（ｂ）では、周波数配列器２６によってＹ方向信号が１．０ＧＨｚ以上の帯域にシフトされ、さらに、アップコンバータ１１によって（ｂ）に示すＸ方向信号とＹ方向信号は、共に（ｃ）に示すように６０ＧＨｚ帯域にアップコンバートされる。（ｄ）は、ディスプレイ駆動装置３０のバランスミキサ１８によってベースバンドと１ＧＨｚ〜２ＧＨｚ帯域に復元される。
【００８４】
図２１は周波数配列器２６の構成の一例を示しており、入力された信号は増幅器１３７によって増幅された後、局部発振器１３８からの発振出力と周波数ミキサ１３９で混合され、周波数シフトされた成分がフィルタ１４０によって取り出される。
【００８５】
また、ディスプレイ駆動回路１３０ではバランスミキサ１８によってダウンコンバートされた信号は、フィルタ１３５、フィルタ１３６によって、それぞれ、Ｘ方向信号とＹ方向信号に分離され、ＡＳＫ／ＰＳＫ／ＦＳＫ復調器２０、ＡＳＫ／ＰＳＫ／ＦＳＫ復調器１２０によって復調される。復調されたＸ方向信号は、シリアル−パラレル変換部１３４によってパラレル信号に変換され、Ｘ方向ドライバー２２によってフラットディスプレイ２１へ表示データとして供給される。同様に復調されたＹ方向信号は、シリアル−パラレル変換部１３３によってパラレル信号に変換され、Ｙ方向ドライバ−２３によってフラットディスプレイ２１へゲート信号として供給される。
【００８６】
従って、ディスプレイ駆動回路１３０のＸ方向ドライバー２２には、図１５で示したデータドライバー１０３のような構成は必要とせず、電圧レベル選択回路１１４を備えていれば、シリアル−パラレル変換部１３４からのパラレル信号でフラットディスプレイ２１を駆動することが可能となる。複数のディスプレイに同一の信号を送信する場合、特にＴＶ会議システム等に利用した場合などは、ディスプレイ駆動回路１３０側の構成を簡略化できることは、システムのコストダウン、信頼性の向上等に大きな効果がある。家庭用のディスプレイとしても構成の簡略化にともなう信頼性の向上が期待できる。
【００８７】
また、ディスプレイ駆動信号送信回路１２９からディスプレイ駆動回路１３０への伝送に周波数分離を使用しているので、表示信号を単純にＸ方向信号とＹ方向信号に分けた場合だけでなく、画面の精細度を上げたときなどに、例えばＸ方向信号、Ｙ方向信号を共に２分割して、２分割された２分の１のＸ方向信号、２分の１のＹ方向信号と、残りの２分の１のＸ方向信号、２分の１のＹ方向信号をそれぞれ周波数分離して送信してもよく、こうすることで容易に十分な送信帯域を確保することができる。
【００８８】
図２２は、図１９（ａ）のディスプレイ信号送信回路内のアップコンバータ内蔵ＮＲＤガイド受信機６をデジタル変調器内蔵ＮＲＤガイド送信機６′に置き換え、Ｘ，Ｙ方向信号の時分割多重器２６′により得られるシリアル表示信号をミリ波変調器に印加する、ディスプレイ信号送信回路２２９の構成を示すものである。
【００８９】
図２２では、図１９（ａ）の場合と同様にしてパラレル−シリアル変換部１３１および１３２で、シリアル信号に変換されたＹ方向信号、Ｘ方向信号を時分割多重器２６′によって１系列のシリアル信号に変換し、変換された信号をデジタル変調器内蔵ＮＲＤガイド６′に設けられたミリ波ＡＳＫ／ＰＳＫ／ＦＳＫ変調器１１′に供給する。ミリ波帯で変調された信号は、送信アンテナ１３より図１９（ｂ）に示したディスプレイ駆動回路１３０へ送信される。
【００９０】
ディスプレイ駆動回路１３０では、受信された信号は、ＡＳＫ／ＰＳＫ／ＦＳＫ復調器２０によって復調され、シリアル−パラレル変換回路１３３によってパラレル信号に変換される。このとき時分割多重されていたＸ方向信号とＹ方向信号とは、同時に時分割多重を解かれ、それぞれＸ方向信号とＹ方向信号とのパラレルに分離された状態でＸ方向ドライバー２２、Ｙ方向ドライバー２３へ供給されフラットディスプレイ２１で表示される。
【００９１】
図２３は、本発明のディスプレイ駆動装置の別の一実施例の概略構成図を示している。図１９に示した実施例はＸ方向信号とＹ方向信号を周波数分離する構成としていたが、図２３（ａ）に示すディスプレイ駆動信号送信回路３２９では、ここでは周波数分離せずディスプレイの信号源１における赤色成分を規定する赤色データＲ、緑色成分規定する緑色データＧおよび青色成分を規定する青色データＢから成る表示データ、クロック信号および同期信号を、Ｘ、Ｙ方向信号分離部２４によってフラットディスプレイ２１を直接駆動可能なＸ方向信号とＹ方向信号に分離した後、パラレル−シリアル変換部１３１によってＸ方向信号、Ｙ方向信号を順番に一連のシリアル信号に変換する。図１９の場合のＸ方向信号、Ｙ方向信号の各々の帯域より大きな一つの帯域が必要となるが、画像の精細度と使用できる伝送帯域を選択すれば一つの帯域として伝送することも可能である。
シリアル信号に変換された信号は、前述の説明と同様にＡＳＫ／ＰＳＫ／ＦＳＫ変調器２によって変調され、ＮＲＤガイド送信機６によって６０ＧＨｚ帯域の信号として送信される。
【００９２】
図２３（ｂ）に示すディスプレイ駆動回路３３０では、前述の説明と同様にＮＲＤガイド受信機１５によってベースバンドにダウンコンバートされ、ＡＳＫ／ＰＳＫ／ＦＳＫ復調器２０で復調される。復調された信号はシリアル−パラレル変換部１３３によってパラレル信号に変換され、その中のＸ方向信号はＸ方向ドライバー２２へ、Ｙ方向信号はＹ方向ドライバ−２３へ供給され、フラットディスプレイ２１を駆動する。
【００９３】
図１９における実施例に対して、さらにディスプレイ側の構成を簡略化することが可能である。ただし、単一の帯域としてより大きな帯域が要求される。
【００９４】
図２４は、図１９、２２あるいは図２３に示した構成において、２画面表示を行なった場合の表示例を示している。（Ｘ５０，Ｙ５０）等は、画面上の表示座標を示している。従来のＴＶ受信機等で行なう２画面表示と異なり、ディスプレイ駆動信号送信回路のＸ、Ｙ方向信号分離部２４で直接、ディスプレイ上の表示座標を制御が可能である。
【００９５】
ディスプレイの信号源１に入力された２系統の映像信号等の表示データに対し、例えばＡ画面は表示座標（Ｘ５０，Ｙ５０）から（Ｘ１５０，Ｙ１５０）までに表示し、Ｂ画面は表示座標（Ｘ１００，Ｙ１８０）から（Ｘ２００，Ｙ２８０）までに表示する場合、Ｘ、Ｙ方向信号分離部２４は、ディスプレイの信号源１からの２系統の映像信号等の表示データから、Ａ画面は表示座標（Ｘ５０，Ｙ５０）から（Ｘ１５０，Ｙ１５０）、Ｂ画面は表示座標（Ｘ１００，Ｙ１８０）から（Ｘ２００，Ｙ２８０）に相当するデータのみを抽出し、パラレル−シリアル変換部３１にてシリアル信号に変換、ＮＲＤ送信機６で６０ＧＨｚ帯域にアップコンバートしてディスプレイ駆動回路へ送信すればよい。
【００９６】
ディスプレイ駆動回路側は、これらの信号に対して区別することなく上述した受信、駆動動作を行えばよい。この場合、フラットディスプレイ２１の全画面を構成するデータは送信されていないが、フラットディスプレイ２１では、送信された図２４に示すようなＡ画面、Ｂ画面の２画面表示を行なうことが出来る。これは、２画面表示に限られるものではなく、送信側で画面上の任意の位置を指定して、１系統あるいは複数系統の画面表示行なうことも出来る。あるいは、画面の一部のドット情報やビットマップ情報を伝送してもよい。全画面データを伝送する必要がないので最小限の占有帯域で画面伝送が可能となる。
【００９７】
図２５は、ディスプレイ駆動信号送信回路４２９側でディスプレイ駆動回路４３０上の画面表示位置や画面表示範囲を指定し、これに応じた表示をディスプレイ駆動回路４３０に行わせる場合の一実施例を示す。ここでは、２画面の映像信号を同一画面内に表示させる場合の構成を示しているが、１系統の映像信号のみの表示位置を指定する場合でも、もちろん、同様に実施できる。あるいは、９画面表示のようなマルチ画面表示であってもよい。
【００９８】
ディスプレイの信号源１、ディスプレイの信号源１４１から入力された２つの表示信号は、それぞれ前述の処理と同様の処理を経て、それぞれパラレル−シリアル変換部３１、パラレル−シリアル変換部１３２でシリアル信号に変換されるが、このとき、表示座標指定部１４３、表示座標指定部１４４によってそれぞれの表示信号に対するフラットディスプレイ２１上での表示座標を指定する。ディスプレイの信号源１はＡ画面（例えばＴＶ受信機での受信画面）、ディスプレイの信号源１４１はＢ画面（ＶＴＲでの再生画面）を構成するとする。表示座標の指定は、表示範囲の左上と右下の座標を指定したり、表示の中心点と大きさを指定したり、左上の座標と大きさであってもよい。これ以外の方法であってももちろんかまわない。
【００９９】
指定された座標はそれぞれ、パラレル−シリアル変換部１３１、パラレル−シリアル変換部１３２で表示データと重畳され、ＡＳＫ／ＰＳＫ／ＦＳＫ変調器２、およびＡＳＫ／ＰＳＫ／ＦＳＫ変調器１２５にて変調される。ＡＳＫ／ＰＳＫ／ＦＳＫ変調器２からの出力は周波数配列器２６によって周波数帯域をシフトしている。これは、前述したように、２系統の映像信号を同時に伝送する場合は広い伝送帯域を必要とするためで、周波数の配列の様子は図２０で説明した通りである。
【０１００】
ディスプレイ駆動回路４３０側ではバランスミキサ１８にてダウンコンバートされた信号を、それぞれ、フィルタ１３５、ＡＳＫ／ＰＳＫ／ＦＳＫ復調器２０、シリアル−パラレル変換部１３４、フィルタ１３６、ＡＳＫ／ＰＳＫ／ＦＳＫ復調器１２０、シリアル−パラレル変換部３３を経由してパラレル信号に変換される。パラレル信号に変換されたデータは、復調時の時間差等を同期化部４５で補正し、パラレル信号に重畳されている表示座標データに基づいて、座標変換部４６にて表示座標の変換を行う。
【０１０１】
このとき、図２４に示した画面と同様の表示座標の指定を行ったとすれば、Ａ画面のＸ方向信号、Ｙ方向信号は、（Ｘ５０，Ｙ５０）から（Ｘ１５０，Ｙ１５０）の表示データとして変換され、Ｂ画面のＸ方向信号、Ｙ方向信号は、（Ｘ１００，Ｙ１８０）から（Ｘ２００，Ｙ２８０）の表示データとして変換されることになる。
【０１０２】
図２６は、ディスプレイの駆動方式を送信側、あるいはディスプレイ側から変更できる構成の一例を示している。図２３（ｂ）の構成に対し、ディスプレイ駆動信号送信回路５２９には、受信部１４７、駆動方式信号生成部１４８、駆動方式信号識別部１４９、ディスプレイ構成情報検出部１５０、送信部１５１が追加されている。ここでは、ディスプレイ側からディスプレイの駆動方式等の使用可能な構成や制約条件を送信側に伝送して、ディスプレイの性能に応じて適切な駆動方法を自動的に選択して送信する場合について説明する。
【０１０３】
図２６において、ディスプレイ構成情報検出部１５０は、フラットディスプレイ２１、あるいは、Ｘ方向ドライバー２２、Ｙ方向ドライバ−２３の構成情報を検出する。例えば、図２７（ａ）のようにフラットディスプレイ２１が６４０×４８０画素を持っており、水平画素がＤ１からＤ３２０とＤ３２１からＤ６４０の画素に２分割された場合には、Ｄ１とＤ３２１が同時処理され、ドライバーの処理スピードの低減を図ることができるようになっている。このようにＸ方向ドライバー２２とＸ方向ドライバー５２に２分割されたドライバー構成となっている場合は、処理される画素の順は、図２７（ｂ）に示すようにＤ１、Ｄ３２１、Ｄ２、Ｄ３２２、、、、、Ｄ３２０、Ｄ６４０となるが、これらの駆動方式を識別するための情報をディスプレイ構成情報検出部１５０が検出する。
これらの情報を得るには、フラットディスプレイ２１、あるいは、Ｘ方向ドライバー２２、Ｙ方向ドライバ−２３の回路構成を調べる回路を設けてもよいが、予めディスプレイに標準化された構成情報を示すデータを格納しておくことが望ましい。すなわち、例えば不揮発性のメモリを持たせ、ディスプレイのメーカ名、型名、使用可能な駆動方式等の情報を記憶させておき、標準のインターフェースを介してディスプレイ構成情報検出部１５０がこれを検出する方法などが考えられる。
【０１０４】
送信部１５１は、検出されたディスプレイのこれらの構成情報をディスプレイ駆動信号送信回路５２９へ送信する。送信部１５１は、ＩｒＤＡ−Ｃｏｎｔｒｏｌ等の赤外線伝送を用いてもよいし、無線、音声、有線等での伝送でもかまわない。
【０１０５】
ディスプレイ駆動信号送信回路５２９の受信部１４７は、送信された情報を受信し、駆動方式信号生成部１４８を経由して、受信したディスプレイの構成情報に基づいてＸ、Ｙ方向信号分離部２４でのＸ方向信号、Ｙ方向信号の配列を変更する。この配列の変更は図２７の水平画素配列順を処理される画素の順に変更するものである。
【０１０６】
駆動方式とそれに伴なう画素配列等は、画面左右２分割駆動のみでなく、図２８に示す画面上下２分割駆動や図２９に示すインターレース駆動等であっても同様である。いずれの場合も、ディスプレイの駆動方式に合った表示信号伝送を行うことでディスプレイ側の信号処理を簡略化することが可能である。
【０１０７】
また、駆動方式信号生成部１４８では、送信する配列情報やユーザへのインフォメーション等の付加情報を生成してパラレル−シリアル変換部１３１で送信データに重畳して、ディスプレイ駆動回路５３０へ伝送することが可能である。例えば図３０に示すように区切り信号、制御情報、表示情報として駆動方式信号生成部４８にてパラレル−シリアル変換部３１へ重畳する。区切り信号は表示情報、制御情報を分離識別するもので、例えば同期信号である。制御信号は送信している配列情報やユーザへのインフォメーション等の付加情報から成っている。表示情報は、Ｘ方向信号やＹ方向信号である。
【０１０８】
重畳されたこれらの信号は前述のように、変調、アップコンバートされて送信される。ディスプレイ駆動回路５３０では、受信した情報の中から駆動方式信号識別部１４９が制御情報を識別する。駆動方式や送信されている配列情報に従って、Ｘ方向ドライバー２２やＹ方向ドライバ−２３を所定の駆動方式で駆動させる。
【０１０９】
ディスプレイ駆動回路５３０がディスプレイ構成情報検出部１５０や送信部１５１や受信部１４７を持たない場合でも、送信された制御情報を駆動方式信号識別部１４９が識別することで送信側の表示信号の配列に合わせたフラットディスプレイ２１の駆動も可能であるし、ディスプレイ構成情報検出部１５０や送信部１５１や受信部１４７を備えた場合は、フラットディスプレイ２１側の制約に従った表示信号の配列でディスプレイ駆動信号送信回路５２９に送信させることも可能である。
【０１１０】
なお、今回開示された実施例はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１１１】
【図１】本発明のディスプレイ駆動装置の概略構成を示す図である。
【図２】画素と表示データとサンプリングパルスの関係を示す図である。
【図３】本発明のディスプレイ駆動装置の別の一実施例の概略構成を示す図である。
【図４】本発明のディスプレイ駆動方法を示すフローチャートである。
【図５】ミリ波ＡＳＫ変調器の構成を説明する図である。
【図６】ミリ波ＡＳＫ変調器をマイクロストリップで構成した場合の構成図である。
【図７】ミリ波ＡＳＫ変調器をＮＲＤガイドに応用した例を示す図である。
【図８】サーキュレータの代わりに３ｄＢ方向性結合器を用いて構成した例を示す図である。
【図９】アップコンバータ内蔵ＮＲＤガイド送信機の平面図および立体図である。
【図１０】ＮＲＤガイドを説明する図である。
【図１１】ＮＲＤガイド受信機の平面図および立体図である。
【図１２】ＮＲＤガイドミリ波帯発振器の周波数調整装置の一部斜視図である。
【図１３】図１２のＡ−Ａ’線断面図である。
【図１４】セラミック共振器の位置ｚを変化させたときの周波数と出力の特性図である。
【図１５】液晶表示装置の構成図である。
【図１６】液晶表示装置のデジタルドライバーの構成図である。
【図１７】液晶表示装置に伝送される信号のタイミングを示す図である。
【図１８】入力信号（表示データ）と画面表示を示す図である。
【図１９】本発明のディスプレイ駆動装置の別の一実施例の概略構成を示す図である。
【図２０】本発明によるディスプレイ駆動装置を用いた場合の周波数配列の一例を示す図である。
【図２１】周波数配列器の一実施例の概略構成を示す図である。
【図２２】本発明のディスプレイ駆動装置の別の一実施例の概略構成を示す図である。
【図２３】本発明のディスプレイ駆動装置の別の一実施例の概略構成を示す図である。
【図２４】本発明によるディスプレイ駆動装置を用いた場合の画面表示の一例を示す図である。
【図２５】本発明によるディスプレイ駆動装置の別の一実施例の概略構成を示す図である。
【図２６】本発明によるディスプレイ駆動装置の別の一実施例の概略構成を示す図である。
【図２７】本発明によるディスプレイ駆動装置において画面左右２分割駆動を行う場合の駆動方法を示す図である。
【図２８】本発明によるディスプレイ駆動装置において画面上下２分割駆動を行う場合の駆動方法を示す図である。
【図２９】本発明によるディスプレイ駆動装置においてインターレース駆動を行う場合の駆動方法を示す図である。
【図３０】本発明によるディスプレイ駆動装置の送出信号の一実施例の概略構成図を示す図である。
【符号の説明】
【０１１２】
１  ディスプレイ信号源、２  ＡＳＫ／ＰＳＫ／ＦＳＫ変調器、６，６′  ＮＲＤガイド送信機、８  ガンダイオード発振器、９，１０  ＮＲＤガイド用サーキュレータ、１１  アップコンバータ、１２  帯域フィルタ、１３  送信アンテナ、１５  ＮＲＤガイド受信機、１６  受信アンテナ、１７  ＮＲＤガイド方向性結合器、１８  バランスミキサ、１９  ガンダイオード発振器、２０，１２０  ＡＳＫ／ＰＳＫ／ＦＳＫ復調器、２１  フラットディスプレイ、２２  Ｘ方向ドライバー、２３  Ｙ方向ドライバ−、２４  Ｘ、Ｙ方向信号分離部、２５，１２５  ＡＳＫ／ＰＳＫ／ＦＳＫ変調器、５２  Ｘ方向ドライバー、５３  Ｙ方向ドライバー、１２９，２２９，３２９，４２９，５２９  ディスプレイ駆動信号送信回路、１３０，３３０，４３０，５３０  ディスプレイ駆動回路、１３１，１３２  パラレル−シリアル変換部、１３３，１３４  シリアル−パラレル変換部、１３５，１３６  フィルタ、１３７  増幅器、１３８  局部発振器、１３９  周波数ミキサ、１４０  フィルタ、１４１  ディスプレイの信号源、１４２  Ｘ、Ｙ方向信号分離部、１４３  表示座標指定部、１４４  表示座標指定部、１４５  同期化部、１４６  座標変換部、１４７  受信部、１４８  駆動方式信号生成部、１４９  駆動方式信号識別部、１５０  ディスプレイ構成情報検出部、１５１  送信部。
【図１】
2005010778.tif 000005
【図２】
2005010778.tif 000006
【図３】
2005010778.tif 000007
【図４】
2005010778.tif 000008
【図５】
2005010778.tif 000009
【図６】
2005010778.tif 000010
【図７】
2005010778.tif 000011
【図８】
2005010778.tif 000012
【図９】
2005010778.tif 000013
【図１０】
2005010778.tif 000014
【図１１】
2005010778.tif 000015
【図１２】
2005010778.tif 000016
【図１３】
2005010778.tif 000017
【図１４】
2005010778.tif 000018
【図１５】
2005010778.tif 000019
【図１６】
2005010778.tif 000020
【図１７】
2005010778.tif 000021
【図１８】
2005010778.tif 000022
【図１９】
2005010778.tif 000023
【図２０】
2005010778.tif 000024
【図２１】
2005010778.tif 000025
【図２２】
2005010778.tif 000026
【図２３】
2005010778.tif 000027
【図２４】
2005010778.tif 000028
【図２５】
2005010778.tif 000029
【図２６】
2005010778.tif 000030
【図２７】
2005010778.tif 000031
【図２８】
2005010778.tif 000032
【図２９】
2005010778.tif 000033
【図３０】
2005010778.tif 000034